(57)【要約】【課題】容易な操作で音声および動画像の再生を一時的に中断したり、あるいは容易な操作で中断した再生を再開することが可能な電子機器を提供する。【解決手段】画像処理部１５０は、制御部２００によって記憶部１４０から読み出された動画データを、画像データと音声データに変換する。この画像データは、ドライバ１６０を通じて表示部１７１にて表示され、上記音声データは、ＰＣＭ符号処理部１０８および増幅器１１３を通じてスピーカ１１４より拡声出力される。制御部２００は、動画像を表示部１７１にて再生中に、折り畳み検出部１３０が折り畳み状態であることを検出すると、画像処理部１５０およびＰＣＭ符号処理部１０８による処理、および増幅器１１３による増幅動作を中断して、動画データの再生を中断し、その後、折り畳み検出部１３０が開いた状態であることを検出すると、再び動画データの再生を行うようにしたものである。【選択図】　　図１
2004088329.tif 000002
【特許請求の範囲】
【請求項１】
筐体を開閉する構造を有する電子機器において、
前記筐体の開閉を検出する開閉検出手段と、
動画像の情報と音声の情報とを含むデータから、映像信号と音声信号と生成する信号生成手段と、
この信号生成手段にて生成された映像信号に基づいて、動画像を表示する表示手段と、
前記信号生成手段にて生成された音声信号に基づいて、音声を出力する拡声手段と、
前記信号生成手段を制御して、動画像の表示と音声の出力を制御するものであって、動画像と音声の出力制御中に、前記筐体が閉じた状態にあることを前記開閉検出手段が検出した場合に、前記信号生成手段を制御して、動画像の表示と音声の出力を中断させる制御手段とを具備することを特徴とする電子機器。
【請求項２】
前記制御手段は、前記筐体が開いた状態にあることを前記開閉検出手段が検出した場合に、前記信号生成手段を制御して、前記中断していた動画像の表示と音声の出力を再開することを特徴とする請求項１に記載の電子機器。
【請求項３】
さらに、前記音声の信号を外部に出力するための出力手段と、
この出力手段に外部機器が接続されたことを検出する接続検出手段とを備え、
前記制御手段は、前記筐体が閉じた状態にあることを前記開閉検出手段が検出し、かつ前記出力手段に外部機器が接続されたことを前記接続検出手段が検出した場合には、前記信号生成手段にて生成された音声信号を前記出力手段を通じて外部に出力することを特徴とする請求項１に記載の電子機器。
【請求項４】
さらに、聴覚、視覚、あるいは触覚のうち、少なくとも１つにより報知を行う報知手段と、
前記制御手段による中断制御が開始されてから所定の時間が経過した場合に、動画像の表示と音声の出力が中断されている旨を、前記報知手段を制御して報知制御する報知制御手段とを備えることを特徴とする請求項１乃至請求項３のいずれかに記載の電子機器。
【発明の詳細な説明】
【０００１】
【発明の属する技術分野】
この発明は、例えばＰＨＳ（Ｐｅｒｓｏｎａｌ　Ｈａｎｄｙｐｈｏｎｅ　Ｓｙｓｔｅｍ）や携帯電話システムなどの移動通信システムで用いられる移動無線端末装置や、ＰＤＡ（ＰｅｒｓｏｎａｌＤｉｇｉｔａｌ　Ａｓｓｉｓｔａｎｔｓ）端末であって、特に２つに折り畳める折り畳み式や、蓋を備えて開閉する機構を備えた電子機器に関する。
【０００２】
【従来の技術】
周知のように、ＰＨＳや携帯電話システムなどの移動通信システムで用いられる移動無線端末装置や、ＰＤＡ端末などの電子機器は、２つに折り畳める折り畳み式や、蓋を備えて開閉する機構を備えたものがあり、折り畳みや蓋の開閉によって、表示部の保護や操作部への接触による誤操作を防止することを可能としている。
【０００３】
また、近時、上述したような携帯型の電子機器は、動画像や音声を再生する機能を備えるようになり、これらの情報をユーザに視聴させることによって大量の情報を伝達することが可能となった。
【０００４】
しかしながら、上述したような従来の電子機器では、一時的に視聴を中断する必要が生じた場合、操作部が小さいために再生の中断指示を与えるのが困難であり、また中断した再生を再開させる指示についても同様に困難であり、操作性が低いという問題があった。
【０００５】
【発明が解決しようとする課題】
従来の電子機器では、一時的に視聴を中断する必要が生じた場合、操作部が小さいために再生の中断指示を与えるのが困難であり、また中断した再生を再開させる指示についても同様に困難であり、操作性が低いという問題があった。
【０００６】
この発明は上記の問題を解決すべくなされたもので、容易な操作で音声および動画像の再生を一時的に中断したり、あるいは容易な操作で中断した再生を再開することが可能な電子機器を提供することを目的とする。
【０００７】
【課題を解決するための手段】
上記の目的を達成するために、この発明は、筐体を開閉する構造を有する電子機器において、筐体の開閉を検出する開閉検出手段と、動画像の情報と音声の情報とを含むデータから、映像信号と音声信号と生成する信号生成手段と、この信号生成手段にて生成された映像信号に基づいて、動画像を表示する表示手段と、信号生成手段にて生成された音声信号に基づいて、音声を出力する拡声手段と、信号生成手段を制御して、動画像の表示と音声の出力を制御するものであって、動画像と音声の出力制御中に、筐体が閉じた状態にあることを開閉検出手段が検出した場合に、信号生成手段を制御して、動画像の表示と音声の出力を中断させる制御手段とを具備して構成するようにした。
【０００８】
また、この発明では、制御手段が、筐体が開いた状態にあることを開閉検出手段が検出した場合に、信号生成手段を制御して、前記中断していた動画像の表示と音声の出力を再開することを特徴とする。
【０００９】
上記構成の電子機器では、動画像と音声の出力制御中に、筐体が閉じた状態になった場合に、動画像の表示および音声の出力を中断し、再び開いた状態にすることで、中断していた動画像の表示および音声の出力を再開するようにしている。
【００１０】
したがって、上記構成の電子機器によれば、一時的に視聴を中断する必要が生じても、当該電子機器を折り畳むといった容易な操作で、映像および音声の再生を中断することができ、また再び開いた状態にするという容易な操作で中断した再生を再開することができる。
【００１１】
【発明の実施の形態】
以下、図面を参照して、この発明の一実施形態について説明する。
図１は、その構成を示すもので、この図に示す移動無線端末装置は、基地局ＢＳとの間で、ＣＤＭＡ（Ｃｏｄｅ　Ｄｉｖｉｓｉｏｎ　Ｍｕｌｔｉｐｌｅ　Ａｃｃｅｓｓ）方式によって無線通信を行うものを例に挙げている。
【００１２】
基地局ＢＳから送信され、アンテナ１０１で受信された無線周波信号は、アンテナ共用器１０２に入力される。アンテナ共用器１０２は、受信用フィルタ１０２ａと送信用フィルタ１０２ｂとからなる。
【００１３】
アンテナ１０１より入力された無線周波信号のうち、基地局ＢＳから送信された無線周波信号は、受信用フィルタ１０２ａを通過して、受信部（ＲＸ）１０３に出力される。なお、この無線周波信号は送信用フィルタ１０２ｂにより、後述の送信部１０５に入力されることはない。
【００１４】
受信部１０３では、上記無線周波信号を周波数シンセサイザ（ＳＹＮ）１０４から入力された受信局部発振信号とミキシングして中間周波信号に周波数変換する。
【００１５】
なお、上記周波数シンセサイザ１０４にて発生される受信局部発振信号の周波数は、制御部２００からの制御信号によって制御される。また、受信部１０３は、制御部２００から指定される周波数の無線信号の受信電界強度を検出する機能を備える。
【００１６】
受信部１０３にて得られた中間周波信号は、ＣＤＭＡ信号処理部１０６において、直交復調処理が施されたのち、逆拡散処理が施されて、データレートに応じた所定のフォーマットの受信データに変換され、音声符号処理部１０７に出力され、データレートを示すデータについては制御部２００に出力される。
【００１７】
音声符号処理部１０７は、上記ＣＤＭＡ信号処理部１０６にて得られた受信データに対して、制御部２００から通知される受信データレートに応じた伸長処理を施し、この処理結果をＰＣＭ符号処理部１０８に出力する。
【００１８】
ＰＣＭ符号処理部１０８は、音声符号処理部１０７にて伸張された受信データを復号してアナログ受話信号を得る。このようにして、復号されたアナログ受話信号は、増幅器１０９にて増幅された後スピーカ１１０より拡声出力されるか、あるいは後述するイヤホンマイク１１７より拡声出力するために、切換スイッチ１１５に出力される。
【００１９】
また、ＰＣＭ符号処理部１０８は、画像処理部１５０から音声データが入力される場合には、これを復号してアナログ音声信号を得る。このようにして、復号されたアナログ音声信号は、増幅器１１３にて増幅された後スピーカ１１４より拡声出力されるか、あるいはイヤホンマイク１１７より拡声出力するために、切換スイッチ１１５に出力される。
なお、増幅器１０９および増幅器１１３の増幅のレベルは、制御部２００によって制御される。
【００２０】
一方、話者の入力音声は、マイクロホン（Ｍ）１１１あるいはイヤホンマイク１１７を通じてアナログ送話信号として入力され、増幅器１１２で適正レベルまで増幅された後、ＰＣＭ符号処理部１０８にてＰＣＭ符号化処理が施され、送信データとして音声符号処理部１０７に出力される。
【００２１】
音声符号処理部１０７は、ＰＣＭ符号処理部１０８から出力される送信データより入力音声のエネルギー量を検出し、この検出結果に基づいてデータレートを決定し、制御部２００に通知する。そして、上記送信データを上記データレートに応じたフォーマットのバースト信号に圧縮し、ＣＤＭＡ信号処理部１０６に出力する。
【００２２】
ＣＤＭＡ信号処理部１０６は、上記音声符号処理部１０７にて圧縮されたバースト信号に対して、送信チャネルに応じたＰＮ符号を用いて拡散処理を施す。そしてこの処理結果に対して、直交変調処理を施し、直交変調信号として送信部（ＴＸ）１０５に出力する。
【００２３】
送信部１０５は、上記直交変調信号を送信局部発振信号と合成して無線周波信号に変換し、制御部２００により通知される送信データレートに基づいて、上記無線周波信号の有効部分だけを高周波増幅して、アンテナ共用器１０２に出力する。なお上記送信局部発振信号は、周波数シンセサイザ１０４にて生成されるもので、制御部２００からの制御信号に応じた周波数の発振信号である。
【００２４】
アンテナ共用器１０２に入力された送信部１０５からの無線周波信号は、送信用フィルタ１０２ｂにより、送信帯域の無線周波信号のみがアンテナ１０１に出力されて、上記基地局ＢＳに向けて空間に放射される。尚、この送信帯域の無線周波信号は、受信用フィルタ１０２ａにより、受信部１０３に入力されることはない。
【００２５】
切換スイッチ１１５は、２つの入力端子を有し、一方の入力端子にはＰＣＭ符号処理部１０８からアナログ受話信号が入力され、他方の入力端子にはＰＣＭ符号処理部１０８からアナログ音声信号が入力され、制御部２００の制御によりいずれか一方の入力端子をイヤホンマイクジャック１１６に接続して、上記アナログ受話信号あるいはアナログ音声信号をイヤホンマイクジャック１１６に出力する。
【００２６】
イヤホンマイクジャック１１６は、イヤホンマイク１１７のプラグを接続するためのジャックであり、切換スイッチ１１５から入力されるアナログ信号をイヤホンマイク１１７に出力し、一方イヤホンマイク１１７から入力される音声信号を増幅器１１２に出力する。
なお、イヤホンマイクジャック１１６は、イヤホンマイク１１７が接続されているか否かを検出し、この検出結果を制御部２００に通知する。
【００２７】
イヤホンマイク１１７は、マイクロホンと小型のスピーカを備え、音声の入出力を行うもので、インターフェイスとしてプラグを備え、これが上記イヤホンマイクジャック１１６と電気的・物理的に接続される。
【００２８】
着信報知部１２０は、当該端末装置宛てに着信があった場合に、制御部２００の制御によりユーザに対して着信を報知するもので、可聴音を発して報知を行なう発音体１２１と、発光により報知を行なう発光体１２２と、例えば偏心モータなどにより振動を発生して報知を行なう振動体１２３とからなる。
【００２９】
折り畳み検出部１３０は、当該移動無線端末装置が折り畳んだ状態（図２参照）にあるか開いた状態にあるか（図３参照）を検出するものであり、検出結果を制御部２００に通知する。
【００３０】
記憶部１４０は、例えばＲＯＭやＲＡＭなどの半導体メモリを記憶媒体としたもので、この記憶媒体には、名前と電話番号などを対応づけた電話帳データをはじめとするユーザが作成したデータや、動画像とこれに対応する音声を対応づけた動画データ、この動画データの再生制御に関わる動画再生制御データなどを記憶する。
【００３１】
画像処理部１５０は、例えばＭＰＥＧ（Ｍｏｖｉｎｇ　Ｐｉｃｔｕｒｅ　Ｅｘｐｅｒｔｓ　Ｇｒｏｕｐ）４などの画像データを復号するための専用の画像処理用ＩＣを搭載するもので、制御部２００によって動作制御され、制御部２００から入力される動画データを読み出して、これに所定のデータ処理を施して画像データと音声データに変換し、画像データをドライバ１６０に出力するとともに、音声データをＰＣＭ符号処理部１０８に出力する。
【００３２】
ドライバ１６０は、画像処理部１５０より入力される画像データに基づいて、後述するユーザインターフェイス部１７０の表示部１７１を駆動制御して、表示／非表示の制御、静止画像や動画像の表示制御を行う。
【００３３】
またドライバ１６０は、制御部２００からの指示に応じて、副表示部１７２の表示／非表示の制御や、制御部２００からの指示に応じた内容を副表示部１７２に表示する制御を行う。
【００３４】
ユーザインターフェイス部１７０は、表示部１７１、副表示部１７２およびキー入力部１７３とからなる。表示部１７１は、例えばＬＣＤ（Ｌｉｑｕｉｄ　Ｃｒｙｓｔａｌ　Ｄｉｓｐｌａｙ）やＥＬ（Ｅｌｅｃｔｒｏ　Ｌｕｍｉｎｅｓｃｅｎｃｅ）などからなりユーザに対して自機の状態（発信／着信、バッテリ残量、受信強度）や記憶部１４０から読み出したダイヤルデータ、および動画像を含む種々の画像を視覚的に示すためのものである。
【００３５】
副表示部１７２は、小型のＬＣＤを用いたもので、当該移動無線端末装置の背面などに設けられ、この装置が折り畳まれた状態にあるときに、自機の状態や着信の発生を報知するためのものである。
【００３６】
キー入力部１７３は、ダイヤル番号入力を行なうためのテンキーなど発着信に関わる通常の通話機能を実施するためのキーの他、着信報知方法（可聴音／発光／バイブレータ／報知なし）の切り換えなどの各種設定や種々の機能を利用するためのキーを備えたものである。
【００３７】
制御部２００は、ＣＰＵ、ＲＯＭおよびＲＡＭなどを有してなるものであり、上記ＣＰＵが上記ＲＯＭに記憶される制御プログラムや制御データに従って、当該移動無線端末装置の各部を統括して制御するものである。
【００３８】
その主たる制御としては、受信部１０３、周波数シンセサイザ１０４、送信部１０５およびＣＤＭＡ信号処理部１０６を制御して、基地局ＢＳとの間にＣＤＭＡ方式の無線通信による通信リンクを開設し、基地局ＢＳが収容される移動通信網を通じて通信を行なう通信制御がある。
【００３９】
また、制御部２００は、キー入力部１７３を通じて、ユーザから動画の再生要求があった場合には、画像処理部１５０を制御して、動画の再生を行わせる制御機能を備え、新たな制御機能として、折り畳み検出部１３０の検出結果に応じた動画再生制御を可能としている。
そしてまた、制御部２００は、タイマ機能Ｔを備える。
【００４０】
１８１は電源回路であり、バッテリ１８０の出力を基に所定の動作電源電圧Ｖｃｃを生成して各回路に供給する。
【００４１】
次に、上記構成の移動無線端末装置の動作について説明する。
なお、以下の説明では、動画再生に関わる動作について説明し、移動通信網を通じた音声通信やデータ通信に関わる動作についての説明は省略する。
【００４２】
図４は、動画再生に関わる処理を説明するためのフローチャートである。この処理は、制御部２００によってなされ、図３に示すように、当該移動無線端末装置が折り畳み状態にない時に、キー入力部１７３を通じてユーザから動画再生要求がなされた場合に開始される。
【００４３】
まず、ステップ４ａにおいて制御部２００は、画像処理部１５０およびＰＣＭ符号処理部１０８を起動制御する。また切換スイッチ１１５を切換制御して、ＰＣＭ符号処理部１０８より出力されるアナログ音声信号がイヤホンマイクジャック１１６に出力されるようにする。
【００４４】
そして、制御部２００は、ユーザからの指示に対応する動画データを記憶部１４０から読み出して画像処理部１５０に出力する読み出し処理を開始し、ステップ４ｂに移行する。
【００４５】
これにより、画像処理部１５０は、データ処理を開始し、制御部２００から入力される動画データを画像データと音声データに変換し、画像データをドライバ１６０に出力するとともに、音声データをＰＣＭ符号処理部１０８に出力する。
【００４６】
これに対して、ドライバ１６０は、画像処理部１５０より入力される画像データに基づいて、表示部１７１を駆動制御して、動画像の表示制御を行う。
そして、画像処理部１５０からＰＣＭ符号処理部１０８に出力された音声データは、ＰＣＭ符号処理部１０８にてアナログ音声信号に変換された後、増幅器１１３で増幅され、スピーカ１１４より拡声出力される。
【００４７】
なお、イヤホンマイク１１７がイヤホンマイクジャック１１６に接続される場合には、スピーカ１１４からの拡声出力に代わって、上記アナログ音声信号は、切換スイッチ１１５およびイヤホンマイクジャック１１６を通じてイヤホンマイク１１７に出力され、イヤホンマイク１１７より拡声される。
【００４８】
ステップ４ｂにおいて制御部２００は、折り畳み検出部１３０の検出結果を参照し、当該移動無線端末装置が折り畳み状態、すなわち図２の状態にあるか否かを判定する。
ここで、折り畳み状態にある場合には、ステップ４ｃに移行し、一方、折り畳み状態にない場合には、ステップ４ｎに移行して、動画再生を継続する。
【００４９】
ステップ４ｃにおいて制御部２００は、イヤホンマイクジャック１１６の検出結果を参照し、当該移動無線端末装置にイヤホンマイク１１７が接続されているか否かを判定する。
ここで、イヤホンマイク１１７が接続されている場合には、ステップ４ｂに移行し、一方、イヤホンマイク１１７が接続されていない場合には、ステップ４ｅに移行する。
【００５０】
ステップ４ｄにおいて制御部２００は、ドライバ１６０に対して、表示部１７１による表示を停止する指示と、副表示部１７２による表示を開始する指示とを与え、副表示部１７２による表示で用いる表示データを記憶部１４０から読み出してドライバ１６０に与え、ステップ４ｎに移行する。
【００５１】
このように指示が与えられたドライバ１６０は、表示部１７１の電源をＯＦＦ状態にして表示を停止する。一方、副表示部１７２の電源を投入し、制御部２００から与えられる表示データに基づいて、副表示部１７２に「音声再生中」の旨を示す表示を行う。
【００５２】
また、この時、画像処理部１５０は、ステップ４ａより開始したデータ処理を継続して実施し、制御部２００から入力される動画データを画像データと音声データに変換し、画像データをドライバ１６０に出力するとともに、音声データをＰＣＭ符号処理部１０８に出力する。
【００５３】
このようにドライバ１６０には、画像データが与えられるが、前述したように表示部１７１の電源をＯＦＦ状態にしているため、動画再生は行われない。一方、画像処理部１５０からＰＣＭ符号処理部１０８に出力された音声データは、ＰＣＭ符号処理部１０８にてアナログ音声信号に変換される。
【００５４】
このアナログ音声信号は、切換スイッチ１１５およびイヤホンマイクジャック１１６を通じてイヤホンマイク１１７に出力され、イヤホンマイク１１７より拡声される。
【００５５】
ステップ４ｅにおいて制御部２００は、タイマＴを起動してタイムカウントを開始するとともに、記憶部１４０からの動画データの読み出しを中断し、この中断した時点での動画データの記憶部１４０上のアドレスを検出し、このアドレスを中断アドレスとして記憶部１４０に記録し、ステップ４ｆに移行する。
【００５６】
ステップ４ｆにおいて制御部２００は、画像処理部１５０およびＰＣＭ符号処理部１０８の動作を一時的に停止するように制御するとともに、増幅器１１３の増幅動作を停止制御し、ステップ４ｇに移行する。
これにより、画像処理部１５０は、その処理を中断し、動画の再生は中断される。
【００５７】
また、制御部２００は、表示部１７１の表示を停止する指示と、副表示部１７２の表示を開始する指示とその表示データを記憶部１４０から読み出してドライバ１６０に与える。
【００５８】
これにより、ドライバ１６０は、表示部１７１の電源をＯＦＦ状態にして表示を停止するとともに、副表示部１７２に電源を投入し、制御部２００からの表示データに基づいて、副表示部１７２に「動画再生中断中」の旨を示す表示を行う。
【００５９】
ステップ４ｇにおいて制御部２００は、折り畳み検出部１３０の検出結果を参照し、当該移動無線端末装置が開いた状態、すなわち図３の状態にあるか否かを判定する。
ここで、開いた状態にある場合には、ステップ４ｌに移行し、一方、開いた状態にない場合には、ステップ４ｈに移行する。
【００６０】
ステップ４ｈにおいて制御部２００は、現在のタイマＴのカウント値が所定値ｔ１よりも大きいか否かを判定する。
ここで、タイマＴのカウント値が所定値ｔ１よりも大きい場合には、ステップ４ｉに移行し、一方、大きくない場合には、ステップ４ｇに移行する。
【００６１】
ステップ４ｉにおいて制御部２００は、着信報知部１２０を動作制御するとともに、動画再生処理が所定時間ｔ１以上、中断していることを警告するための表示データをドライバ１６０に与え、ステップ４ｊに移行する。
【００６２】
これにより、着信報知部１２０による報知動作と、ドライバ１６０が上記表示データを副表示部１７２に表示制御することにより、動画再生処理が所定時間ｔ１以上、中断していることがユーザに報知される。
【００６３】
ステップ４ｊにおいて制御部２００は、折り畳み検出部１３０の検出結果を参照し、当該移動無線端末装置が開いた状態、すなわち図３の状態にあるか否かを判定する。
ここで、開いた状態にある場合には、ステップ４ｌに移行し、一方、開いた状態にない場合には、ステップ４ｋに移行する。
【００６４】
ステップ４ｋにおいて制御部２００は、現在のタイマＴのカウント値が所定値ｔ２（＞ｔ１）よりも大きいか否かを判定する。
ここで、タイマＴのカウント値が所定値ｔ２よりも大きい場合には、ステップ４ｏに移行し、一方、大きくない場合には、ステップ４ｊに移行する。
【００６５】
一方、ステップ４ｌにおいて制御部２００は、増幅器１１３の増幅動作を復帰させる。また、制御部２００は、表示部１７１の表示を開始する指示と、副表示部１７２の表示を停止する指示をドライバ１６０に与え、ステップ４ｍに移行する。
これにより、ドライバ１６０は、表示部１７１の電源を投入するとともに、副表示部１７２の電源をＯＦＦ状態にする。
【００６６】
ステップ４ｍにおいて制御部２００は、画像処理部１５０およびＰＣＭ符号処理部１０８に対して処理を再開させる指示を与えるとともに、ステップ４ｅで記憶部１４０に記録した中断アドレスから、記憶部１４０に記憶される動画データを読み出し、これを画像処理部１５０に出力する読み出し処理を再開し、ステップ４ｎに移行する。
【００６７】
これにより、画像処理部１５０は、データ処理を再開し、制御部２００から入力される動画データを画像データと音声データに変換し、画像データをドライバ１６０に出力するとともに、音声データをＰＣＭ符号処理部１０８に出力する。
【００６８】
これに対して、ドライバ１６０は、画像処理部１５０より入力される画像データに基づいて、表示部１７１を駆動制御して、動画像の表示制御を行う。
そして、画像処理部１５０からＰＣＭ符号処理部１０８に出力された音声データは、ＰＣＭ符号処理部１０８にてアナログ音声信号に変換された後、増幅器１１３で増幅され、スピーカ１１４より拡声出力される。
【００６９】
ステップ４ｎでは、キー入力部１７３を通じて、ユーザから動画再生の終了要求が与えられたか否かを判定する。
ここで、動画再生の終了要求が与えられた場合には、ステップ４ｏに移行し、一方、動画再生の終了要求が与えられない場合には、ステップ４ｂに移行する。
【００７０】
ステップ４ｏでは、増幅器１１３、画像処理部１５０およびＰＣＭ符号処理部１０８を停止制御し、当該処理を終了する。
【００７１】
以上のように、上記構成の移動無線端末装置では、動画データに基づく音声と映像の再生出力中に折り畳み状態にし、かつイヤホンマイク１１７が接続された状態にないと、画像処理部１５０およびＰＣＭ符号処理部１０８の処理を一時的に中断させ、増幅器１１３の増幅動作を停止制御して、上記再生出力を一時停止し、そして再生を中断した動画データの位置（記憶部１４０におけるアドレス）を記憶する。
【００７２】
また、折り畳んだ状態態から開いた状態に変化させると、中断した位置から動画データを読み込んで、画像処理部１５０、ＰＣＭ符号処理部１０８および増幅器１１３を動作制御して、動画の再生出力を再開するようにしている。
【００７３】
したがって、上記構成の移動無線端末装置よれば、一時的に視聴を中断する必要が生じても、当該移動無線端末装置を折り畳むといった容易な操作で、音声の再生および動画の再生を停止することができ、また開いた状態に変化させることで、動画の再生出力を再開することができる。
【００７４】
また、折り畳み状態にしてから一定時間ｔ１が経過すると、上記再生出力を一時停止してから所定時間が経過した旨を副表示部１７２および着信報知部１２０を通じてユーザに報知する。このため、ユーザが一時停止中であることを忘れることを防止できる。
【００７５】
さらに、折り畳み状態にしてから一定時間ｔ２が経過すると、画像処理部１５０およびＰＣＭ符号処理部１０８を停止制御して、動画再生処理を終了するようにしている。このため、ユーザが動画再生中であることを忘れて、バッテリ１８０の電力を浪費することを防止できる。
【００７６】
そして、動画データの再生出力中に折り畳み状態にしても、イヤホンマイク１１７が接続された状態にある場合には、表示部１７１をＯＦＦにして映像出力は中止するものの、音声についてはイヤホンマイク１１７を通じて再生出力するようにしている。このため、折り畳んだ状態で持ち歩き、イヤホンマイク１１７を通じて音楽などを聴くことができる。
【００７７】
尚、この発明は上記実施の形態に限定されるものではない。
例えば、上記実施の形態では、記憶部１４０に記憶された動画像のデータを読み出して再生出力する場合を例に挙げて説明したが、これに代わって、基地局ＢＳを通じて動画像データを受信し、ストリーミング再生を行う場合であっても、適用可能である。
【００７８】
その他、この発明の要旨を逸脱しない範囲で種々の変形を施しても同様に実施可能であることはいうまでもなく、移動通信システムの移動無線端末装置に限らず、ＰＤＡ端末をはじめ他の電子機器であっても、２つに折り畳める折り畳み式や、蓋を備えて開閉する機構を備えたものに適用すれば、同様の効果を奏する。
【００７９】
【発明の効果】
以上述べたように、この発明では、動画像と音声の出力制御中に、筐体が閉じた状態になった場合に、映像の出力および音声の出力を中断し、再び開いた状態にすることで、中断していた映像の出力および音声の出力を再開するようにしている。
【００８０】
したがって、この発明によれば、一時的に視聴を中断する必要が生じても、当該電子機器を折り畳むといった容易な操作で、映像および音声の再生を中断することができ、また再び開いた状態にするという容易な操作で中断した再生を再開することが可能な電子機器を提供できる。
【図面の簡単な説明】
【図１】この発明に係わる電子機器の一実施の形態の構成を示す回路ブロック図。
【図２】図１に示した電子機器の折り畳み状態の外観を示す図。
【図３】図１に示した電子機器の開いた状態の外観を示す図。
【図４】図１に示した電子機器の動画再生時の動作を説明するためのフローチャート。
【符号の説明】
１０１…アンテナ
１０２…アンテナ共用器
１０２ａ…受信用フィルタ
１０２ｂ…送信用フィルタ
１０３…受信部（ＲＸ）
１０４…周波数シンセサイザ（ＳＹＮ）
１０５…送信部（ＴＸ）
１０６…ＣＤＭＡ信号処理部
１０７…音声符号処理部
１０８…ＰＣＭ符号処理部
１０９，１１２，１１３…増幅器
１１０，１１４…スピーカ
１１１…マイクロホン（Ｍ）
１１５…切換スイッチ
１１６…イヤホンマイクジャック
１１７…イヤホンマイク
１２０…着信報知部
１３０…折り畳み検出部
１４０…記憶部
１５０…画像処理部
１６０…ドライバ
１７０…ユーザインターフェイス部
１７１…表示部
１７２…副表示部
１７３…キー入力部
１８０…バッテリ
１８１…電源回路
２００…制御部
【図１】
2004088329.tif 000003
【図２】
2004088329.tif 000004
【図３】
2004088329.tif 000005
【図４】
2004088329.tif 000006